(57)【要約】【課題】省スペースの１本歯ブラシ専用スタンドの提供。【解決手段】歯ブラシスタンド２００は、設置面上に自立姿勢で据え置き可能のブランデーグラス形状の樹脂製容器形ホルダーを有し、歯ブラシ１００の１本のみを略直立姿勢で保持するべき１本歯ブラシ専用スタンドである。ホルダーは回転対称体であって、扁平円錐状の足部２１０と、これから括れ部２２０を介して連結した凹状部２３０とを有する。凹状部２３０は歯ブラシのハンドル下端側がほぼ隙間嵌めを以って挿抜可能である縦穴２３２を唯一画成した囲繞壁２３４を備える。この縦穴２３２はその穴底側にハンドル下端部の形状に準ずるテーパー状嵌め受け面２３２ａを有して成る。囲繞壁２３４の開口縁から上方に、爪部２３２ｂが一体的に張り出ている。【選択図】        図１４
2004290634.tif 000002
【特許請求の範囲】
【請求項１】
設置面上に自立姿勢で据え置き可能の容器形ホルダーを有し、歯ブラシ１本のみを略直立姿勢で保持するべき１本歯ブラシ専用スタンドであって、前記容器形ホルダーは前記歯ブラシのハンドル下端側がほぼ隙間嵌めを以って挿抜可能である縦穴を唯一画成した囲繞壁を備えており、前記縦穴はその穴底側にハンドル下端部の形状に準ずる嵌め受け面を有して成ることを特徴とする１本歯ブラシ専用スタンド。
【請求項２】
請求項１において、前記ハンドル下端部が概ねテーパー部であって、前記嵌め受け面が概ねテーパー面であることを特徴とする１本歯ブラシ専用スタンド。
【請求項３】
請求項１又は請求項２において、前記囲繞壁の開口縁から上方に一体的に張り出た爪部を有して成ることを特徴とする１本歯ブラシ専用スタンド。
【請求項４】
請求項１乃至請求項３のいずれか一項において、前記容器形ホルダーは樹脂成形品であることを特徴とする１本歯ブラシ専用スタンド。
【請求項５】
請求項１乃至請求項４のいずれか一項において、前記容器形ホルダーはブランデーグラス形状であることを特徴とする１本歯ブラシ専用スタンド。
【発明の詳細な説明】
【０００１】
【発明の属する技術分野】
本発明は、歯ブラシを直立姿勢で保持するための歯ブラシ用スタンドに関し、特に、省スペースの１本歯ブラシ専用スタンドに関する。
【０００２】
【従来の技術】
従来、ブラシ毛の乾燥のために衛生的である歯ブラシ用スタンドは、通常、家族数人宛用のために上面に複数の縦穴を有する箱形ホルダーとして構成されている。
【０００３】
【発明が解決しようとする課題】
しかしながら、単身者等の少人数が歯ブラシ用スタンドを使用する場合、上記の家族用スタンドの購入は割高となり、また洗面台上でスタンド設置面積の占有率が大きくなり、不釣合いによる見栄え体裁の悪さと共に、洗面具，化粧品等の他物品に対する設置スペースの確保が難しくなる。一方、箱底に溜まる汚れ等は別人には不潔感を齎すばかりか、ホルダー上面でのブラシ毛同士の思わぬ接触等は歯周病等の感染を招く虞れもある。
【０００４】
そこで、上記問題点に鑑み、本発明は、省スペースの１本歯ブラシ専用スタンドを提供することにある。
【０００５】
【課題を解決するための手段】
本発明は、設置面上に自立姿勢で据え置き可能の容器形ホルダーを有し、歯ブラシ１本のみを略直立姿勢で保持するべき１本歯ブラシ専用スタンドであって、その容器形ホルダーは歯ブラシのハンドル下端側がほぼ隙間嵌めを以って挿抜可能である縦穴を唯一画成した囲繞壁を備えており、上記縦穴はその穴底側にハンドル下端部の形状に準ずる嵌め受け面を有して成る。
【０００６】
斯かる構成の１本歯ブラシ専用スタンドは個人ごと移載自由に使用することができるため、洗面台上の随意部分は勿論のこと、棚上などに据え置くことができ、個人専用の使い勝手を得ることができる。また、歯ブラシのハンドル下端部に準ずる嵌め受け面が形成されているので、ハンドル下端部を容器形ホルダーの縦穴に落とし込む様に挿し込むことにより、そのハンドル下端部が穴底側の嵌め受け面にしっくりと嵌り、歯ブラシの長手方向の軸を直立状態に案内規制できるので、歯ブラシが概ね倒れ難く、直立姿勢に保持できる。この嵌め受け面の姿勢案内規制により、容器形ホルダーの基底面の拡大や金属材質等を用いる重量化を特段企画せずとも、スタンドの設置占有面積を直立姿勢の歯ブラシの設置面投影面積に近づけ得るので、省スペース化と共に低コスト化を図ることができる。
【０００７】
歯ブラシの挿し込みの際におけるスタンドの転倒を一層抑制するためには、ハンドル下端部が概ねテーパー部であって、嵌め受け面が概ねテーパー面であることが望ましい。ハンドル下端部と嵌め受け面とが長手方向軸を中心にして概ね回転対称となるため、歯ブラシの挿し込み向きに拘わらず、両者が首尾良く相嵌合するからである。
【０００８】
容器ホルダーの外面には個人名等の識別標識やそれを付する領域・部分を設けても良いが、囲繞壁の開口縁から上方に一体的に張り出た爪部を設けても良い。この爪部は、替えブラシユニットを交換する際、ブラシヘッドと替えブラシユニットとの嵌め合い結合の隙間に差し込んで両者を離間分離するために、指爪代わりの簡易工具として使用することができる。また歯ブラシの挿し込みの際における案内突片としても機能する。
【０００９】
更に容器形ホルダーは樹脂成形品であることが望ましい。低コスト化を図ることができる。
【００１０】
また囲繞壁は上部軽量化のために肉薄であることが望ましい。容器形ホルダーはブランデーグラス形状，ショットグラス形状等にすることができ、歯ブラシ等の景品や広告・販売促進用グッズとしての趣向感を持たせることができる。
【００１１】
【発明の実施の形態】
本発明の一実施形態に係る歯ブラシスタンド（歯ブラシ立て）を説明する前に、まず、替えブラシ毛式歯ブラシについて添付図面に基づいて説明する。
【００１２】
図１は替えブラシ毛式歯ブラシを示す斜視図、図２は同歯ブラシの表側を示す部分斜視図、図３は同歯ブラシの裏側を示す部分斜視図、図４は同歯ブラシにおける歯ブラシ本体の表側を示す部分斜視図、図５は同歯ブラシ本体の裏側を示す部分斜視図、図６（ａ）は同歯ブラシ本体を示す部分平面図、図６（ｂ）は図６（ａ）中のＤ−Ｄ′に沿って切断した状態を示す縦断正面図、図６（ｃ）はその歯ブラシ本体の部分底面図、図７（ａ）は図６（ａ）におけるＡ−Ａ′に沿って切断した状態を示す断面図、図７（ｂ）は図６（ａ）におけるＢ−Ｂ′に沿って切断した状態を示す断面図、図７（ｃ）は図６（ａ）におけるＣ−Ｃ′に沿って切断した状態を示す断面図、図８は同歯ブラシにおける替えブラシユニットの裏側を示す斜視図、図９（ａ）は同替えブラシユニットを示す平面図、図９（ｂ）はその替えブラシユニットの正面図、図１０（ａ）は図９（ａ）中のＡ−Ａ′に沿って切断した状態を示す断面図、図１０（ｂ）は図９（ａ）中のＢ−Ｂ′に沿って切断した状態を示す断面図、図１１（ａ）は同実施形態におけるユニット受け板部と替えブラシユニットとが分離した状態を示す断面図、図１１（ｂ）は同実施形態におけるユニット受け板部と替えブラシユニットとの取り付け途中の状態を示す断面図、図１１（ｃ）は同実施形態におけるユニット受け板部と替えブラシユニットとの取り付け完了状態を示す断面図である。
【００１３】
本例の歯ブラシ１００は、樹脂製の歯ブラシ本体２０の柄部（ハンドル）２１から一体的に連続して成るヘッド部２２にカートリッジ式の替えブラシユニット３０を着脱可能な替えブラシ毛式歯ブラシである。
【００１４】
歯ブラシ本体２０のヘッド部２２は、図７（ｃ）に示す如くの断面山形状のユニット受け板部２３を有する。このユニット受け板部２３は、中心線上の略中央に設けた位置決め貫通孔２３ｄと、この貫通孔２３ｄより柄部２１寄り及び先端部において表裏貫通し、孔内で孔壁から掛止爪部Ｆ１が一体的に張り出てなる第１の掛止孔Ｘ１及び第２の掛止孔Ｘ２を有している。各掛止孔Ｘの裏面側には当該掛止孔Ｘをよりも浅く且つ広い窪みＷが形成されている。第１の掛止孔Ｘ１の窪みＷは当該孔Ｘ１の両側と柄部側に底面を有している。第２の掛止孔Ｘ１の窪みＷは当該孔Ｘ１の先端部側に底面を有している。第１の掛止孔Ｘ１の掛止爪部Ｆ１はユニット受け板部２３の中心線上で柄部２１側から位置決め貫通孔２３ｄ側へ幅広状に張り出ている。第２の掛止孔Ｘ２の掛止爪部Ｆ１はユニット受け板部２３の中心線上で先端部部側から位置決め貫通孔２３ｄ側へ幅広状に張り出ている。位置決め貫通孔２３ｄは緩いテーパー孔である。
【００１５】
一方、替えブラシユニット３０は、植毛台３１とこれに植毛したブラシ毛３２とからなり、植毛台３１は、略中央裏面から下方に突出し、ユニット受け板部２３の位置決め貫通孔２３ｄに圧入可能な挿し込み突起部３１ｃと、植毛台３１の裏面から突出して第１及び第２の掛止孔Ｘ１，Ｘ２に掛り止め可能な第１及び第２の被掛止爪片Ｙ１，Ｙ２とを有している。第１の被掛止爪片Ｙ１の爪部Ｆ２は植毛台３１の中心線で挿し込み突起部３１ｃ側から植毛台の長手方向一端部側へ幅広状に張り出て成る。第２の被掛止爪片Ｙ１の爪部Ｆ２は植毛台３１の中心線で挿し込み突起部３１ｃ側から植毛台の長手方向他端部側へ幅広状に張り出て成る。各爪部Ｆ２の幅は掛止爪部Ｆ１の幅よりも狭く、掛止爪郊Ｆ１の上に水溜まりを形成せず、水抜き効果を発揮するようになっている。挿し込み突起部３１ｃは緩いテーパー状突起である。
【００１６】
歯ブラシ本体２０のヘッド部２２と柄部２１との間には植毛台３１の長手方向一端部３１ａの縁が係合可能な湾曲状案内起立壁部２３ｇを一体的に有している。そして、植毛台３１は、長手方向一端部３１ａの縁から長手方向へ括れ状連結部３１ｅを介して突出して成る先広状雄部３１ｆを有し、ヘッド部２２は、湾曲状案内起立壁部２３ｇを分断する狭窄状溝部２３ｈを介して柄部２１側に形成され、先広状雄部３１ｆと嵌合可能な先広状雌部２３ｉを有している。先広状雄部３１ｆは緩いテーパー状突起であって、先広状雌部２３ｉは緩いテーパー穴である。
【００１７】
ユニット受け板部２３に替えブラシユニット３０を取着する場合、即ち、ユニット受け板部２３の位置決め貫通孔２３ｄ及び掛止孔Ｘ１，Ｘ２に替えブラシユニット３０の挿し込み突起部３１ｃ及び被掛止爪片Ｙ１，Ｙ２を挿し込む際、先ず、替えブラシユニット３０の長手方向一端部３１ａの縁を湾曲状案内起立壁部２３ｇに係合するようにして押し込み操作すると、図１１（ａ）に示す如く、先広状雄部３１ｆ及び括れ状連結部３１ｅが先広状雌部２３ｉ及び狭窄状溝部２３ｈに嵌ると共に、挿し込み突起部３１ｃ及び被掛止爪片Ｙ１，Ｙ２がユニット受け板部２３の位置決め貫通孔２３ｄ及び掛止孔Ｘ１，Ｘ２に進入し、図１１（ｂ）に示す如く、被掛止爪片Ｙ１，Ｙ２の爪部Ｆ２の先端側が掛止爪部Ｆ１の上傾斜面に沿って屈曲状態で降下した後、図１１（ｃ）に示す如く、掛止孔Ｘ１，Ｘ２内の掛止爪部Ｆ１の裏面に被掛止爪片Ｙ１，Ｙ２の爪部Ｆ２が掛り止めされるため、位置決め貫通孔２３ｄと挿し込み突起部３１ｃとの抜け耐力以上の強固な掛止定着力を得ることができる。
【００１８】
特に、第１の被掛止爪片Ｙ１の爪部Ｆ２と第２の被掛止爪片Ｙ２の爪部Ｆ２とが相反逆向き、換言すれば、第１の掛止孔Ｘ１の掛止爪部Ｆ１と第２の掛止孔Ｘ２の掛止爪部Ｆ１とが相反逆向きであるため、長手方向の挟持力は強固である。
【００１９】
逆に、ユニット受け板部２３から替えブラシユニット３０を取り外す場合には、柄部２１のユニット受け板部２２側を片手で把持しながら第１の掛止孔Ｘの裏面側で露出した被掛止爪片Ｙの爪部Ｆ２を親指又は人差し指で擦り動かすと同時に、逆の手で替えブラシユニット３０を摘まみ出ことにより、その掛り止めが外れるため、替えブラシユニット３０をユニット受け板部２３から引き抜くことができる。このように、第１の掛止孔Ｘはユニット受け板部２３のうち柄部２１寄りに形成されているため、歯ブラシ本体２０を把持している片手の指先が爪部Ｆ２まで届き易くなり、掛止解除操作が非常に楽になる。また、ユニット受け板部２３の表面は略山形の傾斜面であるため、その傾斜面とブラシ台３１との間に隙間Ｇが形成されているので、隙間Ｇに指爪又は後述する歯ブラシスタンドの爪部を差し込むことにより、楔作用により替えブラシユニット３０がブラシ台３１から浮き上がり、爪部Ｆ１と爪部Ｆ２との掛かり止めが外れ、その替えブラシユニット３０を容易に摘み出すことができる。なおこの際、できるだけ柄部２１側の隙間Ｇに爪部を差し込むことが望ましく、第１の掛止孔Ｘ側の爪部Ｆ１と爪部Ｆ２との掛かり止めを外すようにすれば、先広状雌部２３ｉ及び狭窄状溝部２３ｈと先広状雄部３１ｆ及び括れ状連結部３１ｅとの嵌合度合いも浅くなるため、第２の掛止孔Ｘ側の爪部Ｆ１と爪部Ｆ２との掛かり止めも外れる。
【００２０】
位置決め貫通孔２３ｄはテーパー孔であって、挿し込み突起部３１ｃはテーパー状突起であるため、位置決め貫通孔２３ｄと挿し込み突起部部３１ｃとのスムーズな嵌合・離脱を実現できる。
【００２１】
他方、ヘッド部２２と柄部２１との間には植毛台３１の長手方向一端部３１ａの縁が係合可能な湾曲状案内起立壁部２３ｇを一体的に有して成る。ユニット受け板部２３の位置決め貫通孔２３ｄ及び掛止孔Ｘ１，Ｘ２に替えブラシユニット３０の挿し込み突起部３１ｃ及び被掛止爪片Ｙ１，Ｙ２を挿し込む際、替えブラシユニット３０の長手方向一端部３１ａの縁を湾曲状案内起立壁部２３ｇに係合するようにして押し込み操作するだけで、替えブラシユニット３０の挿し込み突起部３１ｃ及び被掛止爪片Ｙ１，Ｙ２がユニット受け板部２３の位置決め貫通孔２３ｄ及び掛止孔Ｘ１，Ｘ２に嵌るので、取着操作性を高めることができる。また、ヘッド部２３と柄部２１との間は括れ状になっているから、この湾曲状案内起立壁部２３ｇの一体的形成により、断面係数が大きくなり、曲げ剛性を高めることができる。被掛止爪片Ｙ１の爪部Ｆ２は、湾曲状案内起立壁部２３ｇの湾曲中心部と湾曲状案内起立壁部２３ｇの両端を結ぶ線との間に概ね形成されており、ユニット受け板部２３の撓み変形による影響が受け難くなっている。
【００２２】
通常、ヘッド部２２と柄部２１との間は歯磨き時には撓み変形量が大きく、近接の第１の掛止孔Ｘ１と第１の被掛止爪片Ｙ１との掛止状態が外れる虞れもあるが、先広状雌部２３ｉ及び狭窄状溝部２３ｈに先広状雄部３１ｆ及び括れ状連結部３１ｅが嵌合していると、両者が投錨作用を発揮し、撓み変形の際には狭窄状溝部２３ｈに嵌る括れ状連結部３１ｅに引張力が作用するため、反作用として撓み量を少なくできるばかりか、第１の掛止孔Ｘ１と第１の被掛止爪片Ｙ１との掛止力を確実に持続できる。
【００２３】
先広状雄部３１ｆ及び連結部３１ｅはテーパー状突起であって、先広状雌部２３ｉ及び溝部２３ｈはテーパー穴であるため、摩擦抵抗が少なくなり、先広状雄部３１ｆと先広状雌部２３ｉとのスムーズな嵌合・離脱を実現できる。また先広状雄部３１ｆと先広状雌部２３ｉとの嵌め合い過程では括れ部に初期引張応力を漸増的に付与でき、この引張応力は被掛止爪片Ｙ１の爪部Ｆ２が掛止孔Ｘ１の掛止爪部Ｆ１に掛り止めされる時点では掛止方向の持続的な力に転化することになり、掛り止めが確実化する。また、ユニット受け板部２３の表面は略山形の傾斜面であるため、歯磨き使用時における替えブラシユニット３０の左右ガタ付きを規制でき、掛止孔Ｘの掛止爪部Ｆ１の疲労摩滅を抑制でき、歯ブラシ本体２０の長寿命化に資する。更に、近傍の隙間Ｇに歯ブラシスタンドの爪部を差し込み、被掛止爪片Ｙ１の爪部Ｆ２を動かし、掛止孔Ｘ１の掛止爪部Ｆ１との掛止状態を解除するための契機操作だけでも、なお残る引張応力により被掛止爪片Ｙ１の爪部Ｆ２が掛止孔Ｘ１の掛止爪部Ｆ１から自律的に復帰離脱することになるので、被掛止爪片Ｙ１の爪部Ｆ２の裏からの押し出し力を殆ど必要とせずに、掛止解除が容易になる。
【００２４】
なお、ユニット受け板部２３の表面は略山形の傾斜面であるため、その傾斜面とブラシ台３１との隙間Ｇに異物が進入し易くなるものの、却って洗浄で除去容易となるため、衛生的な使用が可能となる。
【００２５】
このような替えブラシ毛式歯ブラシにおいては、次のような効果を奏する。
【００２６】
歯ブラシ本体２０の柄部２１の先側であるヘッド部２２に替えブラシユニット３０を着脱可能の歯ブラシ１００において、ヘッド部２２は、替えブラシユニット３０を支持するユニット受け板部２３に設けた位置決め貫通孔２３ｄと、この貫通孔２３ｄより柄部２１寄り及び先端部において表裏貫通し、孔内で孔壁から掛止爪部Ｆ１が一体的に張り出てなる第１の掛止孔Ｘ１及び第２の掛止孔Ｘ２を有し、替えブラシユニット３０は、植毛台３１に植毛して成るブラシ毛３２と、植毛台３１の裏面から突出し、位置決め貫通孔２３ｄに嵌入可能な挿し込み突起部３１ｃと、植毛台３１の裏面から突出して第１の掛止孔Ｘ１及び第２の掛止孔Ｘ２に掛り止め可能な第１の被掛止爪片Ｙ１及び第２の被掛止爪片Ｙ２とを有して成り、第１の被掛止爪片Ｙ１と第２の被掛止爪片Ｙ２とが長手方向線上で相反逆向き、換言すれば、第１の掛止孔Ｘ１の掛止爪部Ｆ１と第２の掛止孔Ｘ２の掛止爪部Ｆ１とが長手方向線上で相反逆向きとして形成されているため、長手方向の挟持力は強固である。
【００２７】
次に、本発明の実施形態に係る歯ブラシスタンドを説明する。図１２（ａ）は本発明の実施形態に係る歯ブラシスタンドを示す正面図、図１２（ｂ）は同歯ブラシスタンドを示す背面図、図１２（ｃ）は同歯ブラシスタンドを示す右側面図、図１２（ｄ）は同歯ブラシスタンドを示す平面図、図１３（ａ）は図１２（ｄ）中のＡ−Ａ線に沿って切断した断面図、図１３（ｂ）は図１２（ｄ）中のＢ−Ｂ線に沿って切断した断面図、図１４（ａ）は同歯ブラシスタンドの使用態様を正面側から見た状態を示す斜視図、図１４（ｂ）は同歯ブラシスタンドの使用態様を右側面側から見た状態を示す斜視図である。
【００２８】
本例の歯ブラシスタンド（歯ブラシ立て）２００は、設置面上に自立姿勢で据え置き可能のブランデーグラス形状の樹脂製容器形ホルダーで、歯ブラシ１００の１本のみを略直立姿勢で保持するべき１本歯ブラシ専用スタンドである。樹脂製容器形ホルダーは回転対称体であって、扁平円錐状の足部２１０と、これから括れ部２２０を介して連結した凹状部２３０とを有する。凹状部２３０は歯ブラシ１００のハンドル下端側がほぼ隙間嵌めを以って挿抜可能である縦穴２３２を唯一画成した囲繞壁２３４を備える。この縦穴２３２はその穴底側にハンドル下端部の形状に準ずるテーパー状嵌め受け面２３２ａを有して成る。ハンドル下端部のテーパー角αとテーパー状嵌め受け面２３２ａのテーパー角は略等しい。そして、囲繞壁２３４の開口縁から上方に、爪部２３２ｂが一体的に張り出ている。
【００２９】
斯かる構成の１本歯ブラシ専用スタンド２００は個人ごと移載自由に使用することができるため、洗面台上の随意部分は勿論のこと、棚上などに据え置くことができ、個人専用の使い勝手を得ることができる。また、歯ブラシ１００のハンドル下端部に準ずる嵌め受け面２３２ａが形成されているので、ハンドル下端部を縦穴２３２に落とし込む様に挿し込むことにより、そのハンドル下端部が穴底側の嵌め受け面２３２ａにしっくりと嵌り、歯ブラシ１００の長手方向の軸を直立状態に案内規制できるので、歯ブラシ１００が概ね倒れ難く、直立姿勢に保持できる。歯ブラシ１００の重心位置は、そのハンドル下端が太く樹脂量を多くしてあるため、長手軸の中心よりも下側にある。斯かる下重心の歯ブラシ１００に対して、足部２１０の基底面の拡大や金属材質等を用いる重量化を特段企画せずとも、スタンドの設置占有面積を直立姿勢の歯ブラシ１００の設置面投影面積に近づけ得るので、省スペース化と共に低コスト化を図ることができる。
【００３０】
ハンドル下端部が概ねテーパー部であって、嵌め受け面２３２ａが概ねテーパー面であるため、歯ブラシ１００の挿し込みの際におけるスタンドの転倒を一層抑制することができる。
【００３１】
爪部２３２ｂは、替えブラシユニット３０を交換する際、ブラシヘッド２３と替えブラシユニット３０との嵌め合い結合の隙間Ｇに差し込んで両者を離間分離するために、指爪代わりの簡易工具として使用することができる。また歯ブラシ１００の挿し込みの際における案内突片としても機能する。
【００３２】
【発明の効果】
以上説明したように、本発明に係る１本歯ブラシ専用スタンドは個人ごと移載自由に使用することができるため、洗面台上の随意部分は勿論のこと、棚上などに据え置くことができ、個人専用の使い勝手を得ることができる。また、歯ブラシのハンドル下端部に準ずる嵌め受け面が形成されているので、ハンドル下端部を容器形ホルダーの縦穴に落とし込む様に挿し込むことにより、そのハンドル下端部が穴底側の嵌め受け面にしっくりと嵌り、歯ブラシの長手方向の軸を直立状態に案内規制できるので、歯ブラシが概ね倒れ難く、直立姿勢に保持できる。この嵌め受け面の姿勢案内規制により、容器形ホルダーの基底面の拡大や金属材質等を用いる重量化を特段企画せずとも、スタンドの設置占有面積を直立姿勢の歯ブラシの設置面投影面積に近づけ得るので、省スペース化と共に低コスト化を図ることができる。
【図面の簡単な説明】
【図１】本発明の実施形態に係る歯ブラシを示す斜視図である。
【図２】同歯ブラシの表側を示す部分斜視図である。
【図３】同歯ブラシの裏側を示す部分斜視図である。
【図４】同歯ブラシにおける歯ブラシ本体の表側を示す部分斜視図である。
【図５】同歯ブラシ本体の裏側を示す部分斜視図である。
【図６】（ａ）は同歯ブラシ本体を示す部分平面図、（ｂ）は（ａ）中のＤ−Ｄ′に沿って切断した状態を示す縦断正面図、（ｃ）はその歯ブラシ本体の部分底面図である。
【図７】（ａ）は図６（ａ）におけるＡ−Ａ′に沿って切断した状態を示す断面図、（ｂ）は図６（ａ）におけるＢ−Ｂ′に沿って切断した状態を示す断面図、（ｃ）は図６（ａ）におけるＣ−Ｃ′に沿って切断した状態を示す断面図である。
【図８】同歯ブラシにおける替えブラシユニットの裏側を示す斜視図である。
【図９】（ａ）は同替えブラシユニットを示す平面図、（ｂ）はその替えブラシユニットの正面図である。
【図１０】（ａ）は図９（ａ）中のＡ−Ａ′に沿って切断した状態を示す断面図、（ｂ）は図９（ａ）中のＢ−Ｂ′に沿って切断した状態を示す断面図である。
【図１１】（ａ）は同実施形態におけるユニット受け板部と替えブラシユニットとが分離した状態を示す断面図、（ｂ）は同実施形態におけるユニット受け板部と替えブラシユニットとの取り付け途中の状態を示す断面図、（ｃ）は同実施形態におけるユニット受け板部と替えブラシユニットとの取り付け完了状態を示す断面図である。
【図１２】（ａ）は本発明の実施形態に係る歯ブラシスタンドを示す正面図、（ｂ）は同歯ブラシスタンドを示す背面図、（ｃ）は同歯ブラシスタンドを示す右側面図、（ｄ）は同歯ブラシスタンドを示す平面図である。
【図１３】（ａ）は図１２（ｄ）中のＡ−Ａ線に沿って切断した断面図、（ｂ）は図１２（ｄ）中のＢ−Ｂ線に沿って切断した断面図である。
【図１４】（ａ）は同歯ブラシスタンドの使用態様を正面側から見た状態を示す斜視図、（ｂ）は同歯ブラシスタンドの使用態様を右側面側から見た状態を示す斜視図である。
【符号の説明】
２０…歯ブラシ本体
２１…柄部（ハンドル）
２２…ヘッド部
２３…ユニット受け板部
２３ｄ…位置決め貫通孔
２３ｇ…湾曲状案内起立壁部
２３ｈ…狭窄状溝部
２３ｉ…先広状雌部
３０…替えブラシユニット
３１…植毛台
３１ｃ…挿し込み突起部
３１ｅ…括れ状連結部
３１ｆ…先広状雄部
３２…ブラシ毛
１００…歯ブラシ
２００…歯ブラシスタンド（歯ブラシ立て）
２１０…足部
２２０…括れ部
２３０…凹状部
２３２…縦穴
２３２ａ…テーパー状嵌め受け面
２３２ｂ…爪部
２３４…囲繞壁
Ｆ１…掛止爪部
Ｆ２…爪部
Ｇ…隙間
Ｘ１…第１の掛止孔
Ｘ２…第２の掛止孔
Ｙ１…第１の被掛止爪片
Ｙ２…第２の被掛止爪片
Ｗ…窪み
【図１】
2004290634.tif 000003
【図２】
2004290634.tif 000004
【図３】
2004290634.tif 000005
【図４】
2004290634.tif 000006
【図５】
2004290634.tif 000007
【図６】
2004290634.tif 000008
【図７】
2004290634.tif 000009
【図８】
2004290634.tif 000010
【図９】
2004290634.tif 000011
【図１０】
2004290634.tif 000012
【図１１】
2004290634.tif 000013
【図１２】
2004290634.tif 000014
【図１３】
2004290634.tif 000015
【図１４】
2004290634.tif 000016
【手続補正書】
【提出日】平成15年5月14日(2003.5.14)
【手続補正１】
【補正対象書類名】図面
【補正対象項目名】図６
【補正方法】変更
【補正の内容】
【図６】
2004290634.tif 000017
【手続補正２】
【補正対象書類名】図面
【補正対象項目名】図１１
【補正方法】変更
【補正の内容】
【図１１】
2004290634.tif 000018